(57)【要約】【課題】  従来の紙コップの吊り下げ具は、コップを挿入する板に吊り下げひもを取り付けるので部品が複数となってコストが高くなり、無償の使い捨てとするには費用がかかり過ぎるという問題点がある。また、板を使用しているために嵩張るから、ファーストフード店等のカウンターに多数置いておくことができず、頻繁に補充する必要があって店員に大きな負担がかかる。そこで、本発明は、非常に安価に製造でき、しかもスーパーマーケットで使用されているプラスチック製の商品下げ袋と同様に嵩張ることがなく、カウンターに多量に置いておくことができる吊り下げ具を提供することを目的とする。【解決手段】  １枚のシートで一体に形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられている。【選択図】  図１
2005082228.tif 000002
【特許請求の範囲】
【請求項１】
１枚のシートで一体に形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられていることを特徴とする容器の吊り下げ具
【請求項２】
挿入孔は１つ設けられ、一対の通し孔と同列に並んでいる請求項１記載の容器の吊り下げ具
【請求項３】
２つ乃至４つの挿入孔がシートの幅方向に並んで設けられ、且つシートの長さ方向中心線に関し前記挿入孔が対称となるように並んでいる請求項１記載の容器の吊り下げ具
【請求項４】
挿入孔は円形又は細長に形成されている請求項１乃至請求項３記載の容器の吊り下げ具
【請求項５】
通し孔はシートの長さ方向に延びる細長に形成されている請求項１乃至請求項４記載の容器の吊り下げ具
【請求項６】
通し孔はシートの幅方向に延びる細長に形成され、シートの両端寄りの部分に設けられている請求項１乃至請求項４記載の容器の吊り下げ具
【請求項７】
通し孔は人のこぶしよりも大きく形成されている請求項１乃至請求項４記載の容器の吊り下げ具
【請求項８】
シートで形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられており、さらに砂糖スティックやミニ容器入りミルク等を入れるポケットが設けられていることを特徴とする容器の吊り下げ具
【発明の詳細な説明】
【技術分野】
【０００１】
本発明は、紙コップ等の容器にジュース等を入れて持ち運ぶための吊り下げ具に関する。
【背景技術】
【０００２】
ジュース等を入れた紙コップを吊り下げるための吊り下げ具は従来から存在し、強固な材料の板に孔を設けてこれに紙コップを挿入し、板に取り付けられた吊り下げひもで吊り下げる構成のものがある（例えば、特許文献１参照。）。
【特許文献１】実用新案登録第３０７６４３７号公報
【発明の開示】
【発明が解決しようとする課題】
【０００３】
従来の吊り下げ具は上述したような構成であり、強固な材料の板に吊り下げひもを取り付けるので部品が複数となってコストが高くなり、無償の使い捨てとするには費用がかかり過ぎるという問題点がある。また、板を使用しているために嵩張るから、ファーストフード店やコンビニエンスストアのカウンターに多数置いておくことができず、頻繁に補充する必要があって店員に大きな負担がかかる。そこで、本発明は、非常に安価に製造でき、しかもスーパーマーケットで使用されているプラスチック製の商品下げ袋と同様に嵩張ることがなく、カウンターに多量に置いておくことができる吊り下げ具を提供することを目的とする。
【課題を解決するための手段】
【０００４】
本発明の請求項１は、１枚のシートで一体に形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられている構成である。
【０００５】
請求項２は、挿入孔が１つ設けられ、一対の通し孔と同列に並んでいる要素が請求項１に限定的に付加された構成であり、請求項３は、２つ乃至４つの挿入孔がシートの幅方向に並んで設けられ、且つシートの長さ方向中心線に関し前記挿入孔が対称となるように並んでいる要素が請求項１に限定的に付加された構成である。請求項４は、挿入孔が円形又は細長に形成されている要素が請求項１乃至請求項３に限定的に付加された構成である。
【０００６】
請求項５は、通し孔がシートの長さ方向に延びる細長に形成されている要素が請求項１乃至請求項４に限定的に付加された構成であり、請求項６は、通し孔がシートの幅方向に延びる細長に形成され、シートの両端寄りの部分に設けられている要素が請求項１乃至請求項４に限定的に付加された構成である。請求項７は、  通し孔が人のこぶしよりも大きく形成されている要素が請求項１乃至請求項４に限定的に付加された構成である。
【０００７】
請求項８は、シートで形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられており、さらに砂糖スティックや容器入りミルク等を入れるポケットが設けられている構成である。
【発明の効果】
【０００８】
請求項１は、１枚のシートで一体に形成され、手又は腕等を通すための一対の通し孔がシートの長さ方向に間隔をあけて設けられており、且つその２つの通し孔の間の中央部分に紙コップ等の容器を挿入して吊り下げるための挿入孔が設けられている。したがって、プラスチック等のシートに孔をあけるだけで製造できるからコストを非常に低く抑えることができる。また、１枚のシートで形成されているから多数の吊り下げ具を重ねてカウンターに置いておくことができるから、頻繁に補充する必要がない。
【０００９】
請求項２は、挿入孔が１つ設けられ、一対の通し孔と同列に並んでいるので１つの容器を吊り下げるときに安定する。請求項３は、２つ乃至４つの挿入孔がシートの幅方向に並んで設けられ、且つシートの長さ方向中心線に関し前記挿入孔が対称となるように並んでいる。したがって、複数の容器を安定的に吊り下げることができる。請求項４は、挿入孔が円形又は細長に形成されているので、容器を容易に挿入孔に挿入できる。
【００１０】
請求項５は、通し孔がシートの長さ方向に延びる細長に形成されている。この通し孔に腕を通して吊り下げようとするときはまず手を通す必要があるが、その際、最初に通し孔に指を掛けて吊り下げながら手を通すことになる。そうすると、通し孔は鉛直方向に細長であるから通し孔が横に広がることがなく、したがって通し孔の長さが短くなることがないので、手の平を曲げたりすることなく平たい状態で通し孔に通すことができる。また、腕には複数の吊り下げ具を吊り下げることができるから、複数の容器を運ぶことができる。また、腕に吊り下げたときは手で他の物を持つことができるので便利である。
【００１１】
請求項６は、通し孔がシートの幅方向に延びる細長に形成され、シートの両端寄りの部分に設けられているので、通し孔に手を通して吊り下げるときに通し孔に手を簡単に通すことができる。請求項７は、通し孔が人のこぶしよりも大きく形成されている。したがって、通し孔に手を通して吊り下げることができると共に、腕に通して吊り下げることもできる。請求項８は、砂糖スティックやミニ容器入りミルク等を入れるポケットが設けられているので、コーヒーを容器にいれた運ぶ際に便利である。また、ポケットはシートと同じ材料のシート片をシートに貼着するだけで形成できるから製造コストがそれほどかからず、嵩張ることもない。
【発明を実施するための最良の形態】
【００１２】
次に、発明を実施するための最良の形態について説明する。本発明の吊り下げ具は主に逆テーパー状の紙コップ等を吊り下げるためのものであって、図２に示すように吊り下げ具１は長方形のプラスチックのシート２で形成されている。ほぼ中央に円形の挿入孔３が設けられ、この挿入孔３とシートの端部４，４との間に一対の細長の通し孔５，５が設けられている。通し孔５，５はシート２の長さ方向に延びており、手の平を指先から挿し込んで通すことができる長さを有している。
【００１３】
挿入孔３は円形に限定されるものでなく、図４に示すように細長の形状であっても差し支えない。細長とは、図３の通し孔５や図４の挿入孔３のように細いスリット状のもののほか、凸レンズの断面形状、長円形あるいは楕円形のものを含み、長さ方向に対して幅方向の長さが短いものを指す。いずれにしても紙コップ６が挿入孔３から抜けないように、挿入孔３の内周は紙コップ６の上端の外周よりも短くなるように形成する必要がある。通し孔５，５は図３に示すように端部４，４寄りの部分にシート２の幅方向に延びるものであってもよい。シート２の形状は長方形に限定されるものではなく、例えば長円形や楕円形であってもよい。
【００１４】
図３はポケット８が設けられた吊り下げ具である。ポケット８はシート２と同じ材料の矩形のシート片の３辺をシート２に貼着して形成される。このポケット８に砂糖スティックやミニ容器入りのミルクなどを入れることができるので、コーヒーを容器に入れて運ぶときに便利である。
【００１５】
図１は本発明の使用状態を示すものであり、図２に示す吊り下げ具１を使用している。吊り下げ具１を使用するときは、まずジュース等を入れた紙コップ６を挿入孔３に挿入する。それから、吊り下げ具１を折りたたむようにして一方の手の指先を２つの通し孔５に掛けて吊り下げ具１を持ち上げる。そして、他方の手を通し孔５に通して吊り下げ具１を腕７で吊り下げるようにする。このように吊り下げ具１を腕７に下げるときは複数の吊り下げ具１を下げることができる。また、腕７に下げたときは手があくので他の物を持つことができる。
【００１６】
図３に示す吊り下げ具１を使用するときは、通し孔５，５に手を通してカバンを持つようにして吊り下げ具１を持つ。この場合、片方の手に複数の吊り下げ具１を持つことは可能であるが、紙コップ６が斜めになってしまうので好ましい使用方法とは言えない。複数の吊り下げ具１を持つときは前述した図２の吊り下げ具１を使用することが好ましい。
【図面の簡単な説明】
【００１７】
【図１】本発明の使用状態を示す斜視図
【図２】本発明の正面図
【図３】本発明の実施例の正面図
【図４】本発明の他の実施例の正面図
【符号の説明】
【００１８】
１  吊り下げ具
２  シート
３  挿入孔
４  端部
５  通し孔
６  紙コップ
７  腕
８  ポケット
【図１】
2005082228.tif 000003
【図２】
2005082228.tif 000004
【図３】
2005082228.tif 000005
【図４】
2005082228.tif 000006